(57)【特許請求の範囲】
【請求項１】
所望の方向へ光を閃光照射する閃光照射ユニットを少なくとも２つ以上透光グローブ内に配設して成る閃光照射警告灯であって、
上記各閃光照射ユニットの間は遮光板によって遮光され、
上記透光グローブは、各閃光照射ユニットに対応した色の異なる部分グローブが組み合わされて形成され、
上記遮光板の端縁は上記部分グローブの境界に対応して位置し、
上記閃光照射ユニットには、特定の方向へ閃光を照射するリフレクタ型ユニットと、全周に閃光を照射するほぼ円筒状の外形をしたインナーレンズ型ユニットとが含まれ、
上記遮光板は平面形状でほぼ「く」字型を為し、遮光板の「く」字の凹部側にインナーレンズ型ユニットが配置されると共に、遮光板の「く」字の凸部側にリフレクタ型ユニットが配置され、
上記リフレクタ型ユニットは、前方を向いた放物面型の反射面を備えている
ことを特徴とする閃光照射警告灯。
【請求項２】
上記遮光板の表面には反射処理が施されている
ことを特徴とする請求項１に記載の閃光照射警告灯。
【発明の詳細な説明】
【０００１】
【発明の属する技術分野】
本発明は新規な閃光照射警告灯に関する。詳しくは、所望の方向へ光を閃光照射する閃光照射ユニットを少なくとも２つ以上透光グローブ内に配設して成る閃光照射警告灯において、各閃光照射ユニットから他の閃光照射ユニット側への漏光の防止と閃光照射ユニットの配置空間を有効利用する技術に関する。
【０００２】
【従来の技術】
所望の方向へ光を閃光照射する閃光照射ユニットを少なくとも２つ以上透光グローブ内に配設して成る閃光照射警告灯がある。
【０００３】
そして、閃光照射ユニットとしては、たとえば、特定の方向へ閃光を照射するリフレクタ型ユニットと、全周に閃光を照射するインナーレンズ型ユニットとがあり、通常、それぞれのユニットに対応して色の異なる部分グローブを組み合わせて透光グローブを形成するようにしている。
【０００４】
従って、それぞれの閃光照射ユニットからはそれぞれ色の異なる閃光が照射されるようになっている。
【０００５】
【発明が解決しようとする課題】
ところで、上記した従来の閃光照射警告灯にあっては、一方の閃光照射ユニットの閃光が他方の閃光照射ユニットに対応した部分グローブから照射され、また、他方の閃光照射ユニットの閃光が一方の閃光照射ユニットに対応した部分グローブから照射されてしまうなど、当該閃光の照射意図が曖昧になってしまうという問題があった。
【０００６】
そこで、本発明閃光照射警告灯は、各閃光照射ユニットから他の閃光照射ユニット側への漏光を防止することを課題とし、また、閃光照射ユニットの配置空間の有効利用による灯具の小型化を課題とする。
【０００７】
【課題を解決するための手段】
本発明閃光照射警告灯は、上記した課題を解決するために、所望の方向へ光を閃光照射する閃光照射ユニットを少なくとも２つ以上透光グローブ内に配設して成る閃光照射警告灯であって、各閃光照射ユニットの間は遮光板によって遮光され、透光グローブは、各閃光照射ユニットに対応した色の異なる部分グローブが組み合わされて形成され、遮光板の端縁は部分グローブの境界に対応して位置し、閃光照射ユニットには、特定の方向へ閃光を照射するリフレクタ型ユニットと、全周に閃光を照射するほぼ円筒状の外形をしたインナーレンズ型ユニットとが含まれ、遮光板は平面形状でほぼ「く」字型を為し、遮光板の「く」字の凹部側にインナーレンズ型ユニットが配置されると共に、遮光板の「く」字の凸部側にリフレクタ型ユニットが配置され、リフレクタ型ユニットは、前方を向いた放物面型の反射面を備えているものである。
【０００８】
従って、本発明閃光照射警告灯にあっては、一方の閃光照射ユニットの閃光の他方の閃光照射ユニットの領域への漏光を確実に防止することができるので、一の閃光照射ユニットから照射された閃光が他の閃光照射ユニットから照射されたものと見誤れることが無く、依って閃光の照射意図が曖昧になってしまうようなことがない。また、遮光板の「く」字の凹部側にインナーレンズ型ユニットを配置し、遮光板の「く」字の凸部側にリフレクタ型ユニットを配置するようにしたので、配置空間の有効利用をすることができ、小型化に寄与する。
【０００９】
【発明の実施の形態】
以下に、本発明閃光照射警告灯の実施の形態を添付図面を参照して説明する。
【００１０】
閃光照射警告灯１は透光グローブ２を備え、該透光グローブ２内に閃光照射ユニットが配置されて成る。
【００１１】
透光グローブ２は複数の部分グローブ３とグローブ蓋４とから成る。部分グローブ３及びグローブ蓋４はそれぞれ透明な材料、例えば、透明なプラスチックで形成され、所望の色に着色されている。各部分グローブ３は軸方向長さの短いほぼ楕円筒状を為し、下端部が切り欠かれている。このような部分グローブ３が複数軸方向に連結されて透光グローブ２の主要部が形成され、そして、その一方の端部がグローブ蓋４によって閉塞されて透光グローブ２が形成される。
【００１２】
そして、図示した閃光照射警告灯１にあっては、２個の部分グローブ３ａ、３ｂが連結され、その部分グローブ３ａ側の端部がグローブ蓋４によって閉塞されて透光グローブ２が形成される。そして、部分グローブ３ａ及びグローブ蓋４が黄色に着色され、また、部分グローブ３ｂが赤色に着色されている。なお、各部分グローブ３の着色は、このようなものに限定されるものでないことは勿論である。
【００１３】
上記した如き透光グローブ２、２が左右方向に長い基台５の中央を除いた部分に載置固定される。そして、基台５上の左右の透光グローブ２と２との間の部分にはサイレン６、６が配設され、これらサイレン６、６はほぼ楕円筒状をしたカバー体７によって覆われる。
【００１４】
そして、上記透光グローブ２、２内にはそれぞれ２個ずつの閃光照射ユニットが配設される。閃光照射ユニットとしてはそれぞれの透光グローブ２にリフレクタ型ユニット８とインナーレンズ型ユニット９とが配設される。
【００１５】
リフレクタ型ユニット８は、基台５上に載置されたベース８ａ上に支持されたキセノン放電管８ｂと該キセノン放電管８ｂの後側に取り付けられたリフレクタ８ｃとから成る。リフレクタ８ｃは前方を向いた放物面型の反射面を備えており、該反射面のほぼ焦点位置に上記キセノン放電管８ｂの発光部が位置するようになっている。また、キセノン放電管８ｂは図示しない閃光回路によって閃光を発するようになっている。従って、キセノン放電管８ｂによって発せられた閃光は該キセノン放電管８ｂから前方へ向かって直射される他リフレクタ８ｃによって反射され、該反射光が前方へ向かって照射される。そして、該リフレクタ型ユニット８によって照射された閃光は部分グローブ３ｂによって赤色に着色されて前方へ向かって照射される。
【００１６】
インナーレンズ型ユニット９は、基台５上に載置されたベース９ａ上に支持されたキセノン放電管９ｂと該光源を覆うほぼ円筒状をしたインナーレンズ９ｃとから成る。インナーレンズ９ｃは透明な材料でほぼ円筒状に形成されその上面は閉塞されている。そして、インナーレンズ９ｃの周壁部には集光レンズステップ及び屈折プリズム等の適宜のレンズステップが多数形成されていて、キセノン放電管９ｂから照射された閃光がほぼ水平方向に全周に亘って照射されるようにされている。また、キセノン放電管９ｂは図示しない閃光回路によって閃光を発するようになっている。そして、キセノン放電管９ｂから照射された閃光は部分グローブ３ａによって黄色に着色されて全周に亘って照射される。
【００１７】
各透光グローブ２内において、リフレクタ型ユニット８とインナーレンズ型ユニット９との間に遮光板１０が配設される。遮光板１０は平面形状でほぼ「く」字状をしており、その高さは、上記インナーレンズ型ユニット９のインナーレンズ９ｃの高さとほぼ等しい高さとされている。そして、該遮光板１０の凹部側、すなわち、「く」字の凹部側の面１０ａの表面は反射処理が施されて反射面とされている。かかる遮光板１０はリフレクタ型ユニット８とインナーレンズ型ユニット９との間に位置され、その凹部側にインナーレンズ型ユニット９が配置され、凸部側にリフレクタ型ユニット８が配置される。また、遮光板１０の両端縁１０ｂ、１０ｂは部分グローブ３ａと部分グローブ３ｂとの境界部１１、１１に対応して、すなわち、該境界部１１、１１に接して位置している。
【００１８】
上記した閃光照射警告灯１にあっては、透光グローブ２、２内が遮光板１０、１０によってリフレクタ型ユニット８、８に対応した部分とインナーレンズ型ユニット９、９に対応した部分とに遮蔽されているので、リフレクタ型ユニット８、８による閃光が部分グローブ３ａ、３ａを通して出射されたり、あるいはまた、インナーレンズ型ユニット９、９による閃光が部分グローブ３ｂ、３ｂを通して出射されたりすることがない。従って、閃光の照射意図が曖昧になってしまうようなことがない。特に、遮光板１０、１０の両端縁１０ｂ、１０ｂ、・・・が部分グローブ３ａ、３ａと部分グローブ３ｂ、３ｂとの境界部１１、１１、・・・に対応して、すなわち、該境界部１１、１１、・・・に接して位置しているので、一方の領域から他の領域への漏光が完全に防止される。
【００１９】
また、上記遮光板１０は「く」字状を為し、その凹部側にほぼ円筒状の外形をしたインナーレンズ型ユニット９が配置され、突部側にリフレクタ型ユニット８が配置されるので、配置空間の有効利用をすることができ、小型化に寄与する。
【００２０】
さらに、遮光板１０の「く」字の凹部側の面１０ａの表面は反射処理が施されて反射面とされているので、インナーレンズ型ユニット９から照射された閃光は該反射面１０ａによって反射されて透光グローブ２外へ出射され、閃光を有効に利用することができる。なお、遮光板１０の凸部側の面にも反射面を形成するようにしても良い。
【００２１】
なお、上記した実施の形態において示した各部の形状及び構造は、何れも本発明を実施するに際して行う具体化のほんの一例を示したものに過ぎず、これらによって本発明の技術的範囲が限定的に解釈されることがあってはならないものである。
【００２２】
【発明の効果】
以上に記載したところから明らかなように、本発明閃光照射警告灯は、所望の方向へ光を閃光照射する閃光照射ユニットを少なくとも２つ以上透光グローブ内に配設して成る閃光照射警告灯であって、各閃光照射ユニットの間は遮光板によって遮光され、透光グローブは、各閃光照射ユニットに対応した色の異なる部分グローブが組み合わされて形成され、遮光板の端縁は部分グローブの境界に対応して位置し、閃光照射ユニットには、特定の方向へ閃光を照射するリフレクタ型ユニットと、全周に閃光を照射するほぼ円筒状の外形をしたインナーレンズ型ユニットとが含まれ、遮光板は平面形状でほぼ「く」字型を為し、遮光板の「く」字の凹部側にインナーレンズ型ユニットが配置されると共に、遮光板の「く」字の凸部側にリフレクタ型ユニットが配置され、リフレクタ型ユニットは、前方を向いた放物面型の反射面を備えていることを特徴とする。
【００２３】
従って、本発明閃光照射警告灯にあっては、一方の閃光照射ユニットの閃光の他方の閃光照射ユニットの領域への漏光を確実に防止することができるので、一の閃光照射ユニットから照射された閃光が他の閃光照射ユニットから照射されたものと見誤れることが無く、依って閃光の照射意図が曖昧になってしまうようなことがない。また、遮光板の「く」字の凹部側にインナーレンズ型ユニットを配置し、遮光板の「く」字の凸部側にリフレクタ型ユニットを配置するようにしたので、配置空間の有効利用をすることができ、小型化に寄与する。
【００２６】
請求項２に記載した発明にあっては、上記遮光板の表面に反射処理を施したので、閃光の有効利用を図ることが出来る。
【図面の簡単な説明】
【図１】図２と共に本発明閃光照射警告灯の実施の形態を示すものであり、本図は一部を切り欠いて示す平面図である。
【図２】一部を切り欠いて示す正面図である。
【符号の説明】
１…閃光照射警告灯、２…透光グローブ、３…部分グローブ、８…リフレクタ型ユニット（閃光照射ユニット）、９…インナーレンズ型ユニット（閃光照射ユニット）、１０…遮光板、１０ａ…「く」字の凹部側の面（遮光板の表面）、１０ｂ…端縁、１１…境界部（境界）
【図１】
0003828298.tif 000002
【図２】
0003828298.tif 000003